(57)【特許請求の範囲】
【請求項１】
複数の太径線材を交差させて全周が当該太径線材で構成された複数の大格子を形成し、この大格子間に細径線材を格子状に配置して小格子が形成されたことを特徴とするファンガード。
【請求項２】
前記細径線材を組み合わせて格子状の細径格子部材を形成し、この細径格子部材を、前記太径線材で構成されたフレーム部で支持して構成したことを特徴とする請求項１記載のファンガード。
【請求項３】
前記ファンガードは箱形であり、通風面部と垂直側面部とを有し、
室外ユニットを搬送する際に用いられる固定バンドが取り付けられるバンド固定部が前記通風面部に設けられ、当該バンド固定部は、前記太径線材に形成されていることを特徴とする請求項１または２に記載のファンガード。
【請求項４】
前記通風面部は、当該通風面部の周縁から送風機の吹出口の周縁部に向かって延びる側面部を介して前記吹出口の固定面に固定され、前記側面部は、前記通風面部から前記固定面に向けて垂直に延びる前記垂直側面部を有し、当該垂直側面部は前記吹出口の前記周縁部の外側に設けられることを特徴とする請求項３記載のファンガード。
【請求項５】
前記側面部が前記固定面に取り付けられる取り付け部では、線材が屈曲されていることを特徴とする請求項４記載のファンガード。
【請求項６】
室外ユニットの吹出口に設けられ送風機のファンを覆うファンガードを備えた空気調和装置において、
前記ファンガードは、複数の太径線材を交差させて全周が当該太径線材で構成された複数の大格子が形成され、この大格子間に細径線材が格子状に配置されて小格子が形成されたことを特徴とする空気調和装置。
【請求項７】
前記大格子は、複数の横側太径線材と、この横側太径線材に交差する複数の縦側太径線材とを備え、前記細径格子部材は、前記横側太径線材と前記縦側太径線材との間に挟んで設けられることを特徴とする請求項２記載のファンガード。
【発明の詳細な説明】
【技術分野】
【０００１】
本発明は、ファンガード、及び、空気調和装置に関する。
【背景技術】
【０００２】
従来、空気調和装置の室外ユニットでは、空気の吹出口に、線材を組み合わせて構成されるファンガードが設けられ、このファンガードで送風機のファンを覆うことで、作業者等の指がファンに触れないように構成されている（例えば、特許文献１参照）。特許文献１では、太径線材及び細径線材を組み合せてファンガードが構成され、太径線材間に複数の細径線材を平行に所定間隔をあけて配置し、複数の長方形状の開口が形成されている。
【先行技術文献】
【特許文献】
【０００３】
【特許文献１】特許第４６３１８８２号公報
【発明の概要】
【発明が解決しようとする課題】
【０００４】
しかしながら、上記従来のファンガードでは、太径線材間に長方形状の開口が一列に並んで配置されているため、厚みが薄く幅が広い物、例えば、手の平等が開口に入らないように、細径線材間の間隔を狭くする必要があり、結果的に、開口を形成するための線材が占める面積が大きくなっており、送風抵抗が大きくなっている。
本発明は、上述した事情に鑑みてなされたものであり、ファンガードへの手等の侵入を防止しつつ、送風抵抗を低減できるようにすることを目的とする。
【課題を解決するための手段】
【０００５】
上記目的を達成するため、本発明は、複数の太径線材を交差させて全周が当該太径線材で構成された複数の大格子を形成し、この大格子間に細径線材を格子状に配置して小格子が形成されたことを特徴とするファンガードを提供する。
また、上記構成において、前記細径線材を組み合わせて格子状の細径格子部材を形成し、この細径格子部材を、前記太径線材で構成されたフレーム部で支持して構成されても良い。
【０００６】
また、ファンガードは箱形であり、通風面部と垂直側面部とを有し、室外ユニットを搬送する際に用いられる固定バンドが取り付けられるバンド固定部が前記通風面部に設けられ、当該バンド固定部は、前記太径線材に形成されても良い。
さらに、前記通風面部は、当該通風面部の周縁から送風機の吹出口の周縁部に向かって延びる側面部を介して前記吹出口の固定面に固定され、前記側面部は、前記通風面部から前記固定面に向けて垂直に延びる前記垂直側面部を有し、当該垂直側面部は前記吹出口の前記周縁部の外側に設けられても良い。
また、前記側面部が前記固定面に取り付けられる取り付け部では、線材が屈曲されても良い。
【０００７】
また、本発明は、室外ユニットの吹出口に設けられ送風機のファンを覆うファンガードを備えた空気調和装置において、前記ファンガードは、複数の太径線材を交差させて全周が当該太径線材で構成された複数の大格子が形成され、この大格子間に細径線材が格子状に配置されて小格子が形成されたことを特徴とする。
また、上記構成において、前記大格子は、複数の横側太径線材と、この横側太径線材に交差する複数の縦側太径線材とを備え、前記細径格子部材は、前記横側太径線材と前記縦側太径線材との間に挟んで設けられる構成としても良い。
【発明の効果】
【０００８】
本発明によれば、ファンガードへの手等の侵入を防止しつつ、送風抵抗を低減できる。
【図面の簡単な説明】
【０００９】
【図１】本発明の実施の形態に係る室外ユニットの側断面図である。
【図２】室外ユニットの横断面図である。
【図３】室外ユニットを上方から見た平面図である。
【図４】ファンガードの斜視図である。
【図５】側面側フレーム部材の斜視図である。
【図６】前後側フレーム部材の斜視図である。
【図７】細径格子部材の斜視図である。
【図８】ファンガードのガード性の試験に用いられる試験指を示す正面図である。
【図９】ファンガードの角部近傍を示す斜視図である。
【図１０】室外ユニットの搬送時の状態を示す斜視図である。
【図１１】実施の形態の変形例におけるファンガードの角部近傍を示す斜視図である。
【発明を実施するための形態】
【００１０】
以下、本発明の実施の形態を、図面を参照しながら説明する。
本構成に係る空気調和装置は、室外ユニット１０と室内ユニット（図示せず）とから構成されており、冷媒配管により接続された冷媒回路に冷媒を流して、冷房運転および暖房運転を行う。室外ユニット１０は、室外に設置され、室外空気と熱交換して冷房運転時には冷媒を凝縮させて外気に熱を放出し、暖房運転時には冷媒を蒸発させて外気から熱を取り込むものである。なお、以下に述べる上下および左右といった方向は、室外ユニット１０を設置した状態でその前面側から見た場合の方向を示している。
【００１１】
図１は、室外ユニット１０の側断面図であり、図２は、室外ユニット１０の内部構成を示す上面図である。室外ユニット１０は、略直方体箱形状のユニットケース（筐体）１１を備え、このユニットケース１１は、底板１２と、この底板１２の４隅から鉛直方向に延びる支柱１４と、前面パネル１５（図２）を有して構成される。
底板１２上には、図２に示すように、上面視略コ字形状に屈曲されて形成された熱交換器２１が配置され、この熱交換器２１の上部には、図１に示すように、送風機２２が配置される。熱交換器２１は、図２に示すように、ユニットケース１１の側面部を構成し、このユニットケース１１の左側面から後面及び右側面に沿わせて配置されている。
送風機２２は、図１に示すように、熱交換器２１の上方に配置されるファンモーター（モーター）２３と、このファンモーター２３のモーターシャフト５１に取り付けられたプロペラファン２４（ファン）とを備えて構成される。
【００１２】
熱交換器２１の上面には、熱交換器２１のコ字形状に沿って枠状に形成された上部フレーム１６が設けられている。上部フレーム１６は、コ字形状の熱交換器２１の左側面、後面及び右側面の上面に沿ってそれぞれ設けられる板状のフレーム板１６Ａ，１６Ｂ，１６Ｃと、フレーム板１６Ａ，１６Ｃの前端を連結する連結板（不図示）とを備えている。上部フレーム１６の四隅は、各支柱１４に連結される。
フレーム板１６Ｂと上記連結板との間には、フレーム板１６Ａ，１６Ｃと略平行に延びる一対のモーター支持台１７，１７が掛け渡され、ファンモーター２３は、モーター支持台１７，１７の上面に固定されている。
【００１３】
ファンモーター２３は、円柱状の本体部５２と、本体部５２から上方に延びてプロペラファン２４を支持するモーターシャフト５１（図１）とを有している。プロペラファン２４は、樹脂製のハブ４５と、このハブ４５の外周に所定の翼角を有して所定の間隔で一体成形された複数枚の羽根４６，４６・・とを備える。
本体部５２には、放熱用のフィン５３が外周部に形成されるとともに、外周部に沿って略水平に延びる一対の取り付けステー片５４が形成されている。
ファンモーター２３は、本体部５２がモーター支持台１７，１７の間に配置されるとともに、取り付けステー片５４がモーター支持台１７，１７上に載置され、ボルト（不図示）によってモーター支持台１７，１７に締結固定される。
【００１４】
プロペラファン２４の周囲には、図１に示すように、プロペラファン２４の吸込側の空気を吹出側に案内する円筒状のベルマウス２５が設けられ、このベルマウス２５の吹出口２５Ａは、プロペラファン２４への人体などの接触を防止するファンガード６０で覆われる。また、ベルマウス２５の周囲には、ベルマウス２５を囲う化粧パネル２９が設けられており、ベルマウス２５の外周面と化粧パネルとの間には発泡スチロール等の断熱材２６が設けられている。プロペラファン２４は、コ字形状の熱交換器２１の中央に位置するように配置されている。
【００１５】
ファンモーター２３によりプロペラファン２４が回転駆動されると、室外ユニット１０の周囲、より具体的には図中矢印Ｘで示すように、ユニットケース１１の前面を除いた左側面側、後面側及び右側面側から外気がユニットケース１１内に吸い込まれ、このユニットケース１１の上面部に設けられたベルマウス２５の吹出口２５Ａ及びファンガード６０を通って外に排出される。つまり、この室外ユニット１０は、熱交換後の空気を上面から吹き出す上面吹き出しタイプに構成されている。
【００１６】
ユニットケース１１内には、底板１２上に、冷媒回路の一部を構成する圧縮機（図示せず）、アキュムレータ３１、オイルセパレーター３２及びレシーバータンク３３が設けられるとともに、四方弁（図示せず）や膨張弁（図示せず）といった弁体などの冷媒回路構成部品が配管接続されて収容される。これら冷媒回路構成部品の配管の一端側は、熱交換器２１を介して室内ユニットと配管接続され、当該冷媒回路構成部品の配管の他端側は室内ユニットに配管接続され、これにより、冷媒を循環する冷媒回路が構成される。アキュムレータ３１は、ファンモーター２３の下方で底板１２の略中央に位置している。
また、本構成では、圧縮機は、ユニットケース１１の前面側に配置され、この圧縮機の上方空間に空気調和装置を制御する制御基板などの各種電装ユニットを配設した電装ボックス３４が配置される。このため、前面パネル１５を取り外すことによって、作業者が前面側からユニットケース１１内の部品のメンテナンス作業を容易に行うことができる。符号３５は、圧縮機の上方に設けられ、圧縮機に直接雨滴がかからないようにするためのカバー板である。
【００１７】
図３は、室外ユニット１０を上方から見た平面図である。
室外ユニット１０の上面には、ベルマウス２５の吹出口２５Ａの周縁部２５Ｂと化粧パネル２９との間を塞ぐ天板３０（固定面）が設けられ、ファンガード６０は、天板３０に固定される。ファンガード６０は、平面視では、円形の吹出口２５Ａの全体を覆う略矩形状に形成されている。
【００１８】
図４は、ファンガード６０の斜視図である。
図３及び図４に示すように、ファンガード６０は、金属製の線材を組み合せて形成されており、プロペラファン２４に対向する略矩形の通風面部６１と、通風面部６１の周縁から天板３０側に延びる４つの面で構成される側面通風面部６２（側面部）とを有して箱形に形成されている。
側面通風面部６２は、通風面部６１から吹出口２５Ａの周縁部２５Ｂ側に向けて垂直に延びる一対の垂直側面部６３，６３と、周縁部２５Ｂ側ほど広がるように傾斜して通風面部６１から延びる一対の傾斜側面部６４，６４とを有している。垂直側面部６３，６３は、それぞれ室外ユニット１０の左面及び右面に対応する側面部である。傾斜側面部６４，６４は、それぞれ室外ユニット１０の前面及び後面に対応する側面部である。
本実施の形態では、吹出口２５Ａの周縁部２５Ｂの外側に垂直側面部６３，６３を設けたため、垂直側面部６３，６３が吹出口２５Ａの周縁部２５Ｂから吹き出される風の邪魔にならず、送風抵抗を低減できる。
【００１９】
ファンガード６０は、垂直側面部６３，６３を備える側面側フレーム部材６５（図５）と、傾斜側面部６４，６４を備える前後側フレーム部材６６（図６）とを組み合せて枠状のフレーム部６７を形成し、格子状に形成された細径格子部材６８（図７）をフレーム部６７で支持することで形成されている。
【００２０】
図５は、側面側フレーム部材６５の斜視図である。
図４及び図５に示すように、側面側フレーム部材６５は、通風面部６１と平行に延びる複数（本実施の形態では５本）の横側太径線材７０（太径線材）と、横側太径線材７０に固定される複数の側面側細径線材７１とを備えて構成されている。横側太径線材７０は側面側細径線材７１よりも大きな直径を有する線材である。
各横側太径線材７０は、通風面部６１と平行に延びる支持部７２と、支持部７２の両端側が略直角に屈曲されてファンガード６０の高さ方向に延びる支柱部７３，７３とを有し、支柱部７３，７３によって立設された状態で、一定間隔をあけて互いに平行となるように並べて配置されている。並べて配置された各横側太径線材７０は、複数の側面側細径線材７１が各支柱部７３に接合されることで連結される。
【００２１】
各側面側細径線材７１は、各支柱部７３に直交して配置され、各支柱部７３に外側から当接した状態で各支柱部７３に溶接される。各側面側細径線材７１は所定間隔をあけて互いに平行に配置され、各横側太径線材７０の両端側において、側面側細径線材７１がファンガード６０の高さ方向に並んで複数設けられることで、一対の垂直側面部６３，６３が構成される。
各側面側細径線材７１は、 支柱部７３の並びにおける一端側の支柱部７３Ａ及び他端側の支柱部７３Ｂよりもその各端部が突出するように設けられ、各端部は、ファンガード６０の内側へ折り曲げられた折り曲げ部７１Ａ，７１Ａとなっている。
また、支柱部７３Ａ，７３Ｂの下端には、内側に折り曲げられて支持部７２と平行に延びるベース部７５が形成されている。
【００２２】
垂直側面部６３，６３の上方には、一端側の横側太径線材７０の支持部７２Ａから他端側の横側太径線材７０の支持部７２Ｂまで跨って側面側細径線材７１と平行に設けられる複数の補強線材７４が設けられている。
中央側の 各支柱部７３の間には、支柱部７３と平行に延びる複数の補強支柱部７８，７８が設けられ、補強支柱部７８，７８は、各側面側細径線材７１に接合されている。
【００２３】
一端側の支持部７２Ａの両端部には、支持部７２Ａが天板３０側に凹んだバンド固定凹部７６Ａ，７６Ａ（バンド固定部）が形成されている。また、他端側の支持部７２Ｂの両端部には、支持部７２Ｂが天板３０側に凹んだバンド固定凹部７６Ｂ，７６Ｂ（バンド固定部）が形成されている。
また、側面側フレーム部材６５には、各バンド固定凹部７６Ａ，７６Ｂに隣接して、補強太径線材７７が設けられている。各補強太径線材７７は、支持部７２と同一高さで支持部７２と平行に延びる補強支持部７７Ａと、支柱部７３Ｂと平行に延びて各側面側細径線材７１に接合される補強支柱部７７Ｂと、内側に折り曲げられてベース部７５と同一高さでベース部７５と平行に延びる補強ベース部７７Ｃとを有している。補強太径線材７７は、横側太径線材７０と同一径の線材である。
【００２４】
図６は、前後側フレーム部材６６の斜視図である。
図４及び図６に示すように、前後側フレーム部材６６は、通風面部６１と平行に延びる複数（本実施の形態では７本）の縦側太径線材８０（太径線材）と、縦側太径線材８０に固定される複数の側面側細径線材８１とを備えて構成されている。縦側太径線材８０は側面側細径線材８１よりも大きな直径を有する線材であるとともに、横側太径線材７０と同一径の線材である。
各縦側太径線材８０は、通風面部６１と平行に延びる支持部８２と、支持部８２の両端側が屈曲されてファンガード６０の高さ方向に延びる支柱部８３，８３とを有し、支柱部８３，８３によって立設された状態で、所定間隔をあけて互いに平行となるように並べて配置されている。各支柱部８３は、直角より小さい角度で曲げられており、下端側ほど外側に広がっている。並べて配置された各縦側太径線材８０は、複数の側面側細径線材８１が各支柱部８３に接合されることで連結される。
【００２５】
各側面側細径線材８１は、各支柱部８３に直交して配置され、各支柱部８３に外側から当接した状態で各支柱部８３に溶接される。各側面側細径線材８１は所定間隔をあけて互いに平行に配置され、各縦側太径線材８０の両端側において、側面側細径線材８１がファンガード６０の高さ方向に並んで複数設けられることで、一対の傾斜側面部６４，６４が構成される。各支柱部８３が屈曲されていることで、傾斜側面部６４，６４は下端側ほど外側に開いている。
【００２６】
最上段の側面側細径線材８１の上方には、側面側細径線材８１と平行に延びる補強線材８４が設けられている。補強線材８４は、一端側の支柱部８３Ａから他端側の支柱部８３Ｂまでの支柱部８３の外面に接合される平行部８４Ａと、支柱部８３Ａ及び支柱部８３Ｂに接する部分で屈曲されて下方に延びる柱部８４Ｂ，８４Ｂと、柱部８４Ｂ，８４Ｂの下端が外側に屈曲されて側面側細径線材８１と平行に延びるベース部８４Ｃ，８４Ｃとを有している。
また、最下段の側面側細径線材８１の下方には、側面側細径線材８１と平行に延びる補強線材８５が接合されており、補強線材８５は、縦側太径線材８０と同一径である。
【００２７】
図７は、細径格子部材６８の斜視図である。
図７に示すように、細径格子部材６８は、複数の線材を組み合せて格子状に形成されている。詳細には、細径格子部材６８は、所定間隔をあけて互いに平行に配置される複数の縦側細径線材９０（細径線材）上に、縦側細径線材９０に対して直交する複数の横側細径線材９１（細径線材）を、所定間隔をあけて互いに平行に配置して格子状に形成されている。縦側細径線材９０と横側細径線材９１とは、互いの交点で溶接されて一体化されている。また、縦側細径線材９０及び横側細径線材９１は同一径の線材であるとともに、横側太径線材７０及び縦側太径線材８０よりも細径の線材である。
【００２８】
縦側細径線材９０は、ファンガード６０が組立てられた状態で前後側フレーム部材６６の各縦側太径線材８０と平行に配置される線材であり、細径格子部材６８において縦側太径線材８０が重なる部分は、縦側細径線材９０，９０間の間隔が、隣接する縦側細径線材９０，９０間の間隔より大きな間隔に形成された太径線材配置部９２となっている。
横側細径線材９１は、ファンガード６０が組立てられた状態で側面側フレーム部材６５の各横側太径線材７０と平行に配置される線材であり、細径格子部材６８において横側太径線材７０が重なる部分は、横側細径線材９１，９１間の間隔が、隣接する横側細径線材９１，９１間の間隔より大きな間隔に形成された太径線材配置部９３となっている。
【００２９】
ファンガード６０を組立てる際には、図４〜図７を参照し、まず、前後側フレーム部材６６の各縦側太径線材８０の支持部８２上に、細径格子部材６８がセットされる。この状態では、各縦側太径線材８０が各太径線材配置部９２に重なっており、縦側細径線材９０は縦側太径線材８０に対して平行に配置される。
次いで、側面側フレーム部材６５が、横側太径線材７０が縦側太径線材８０に対して直交する向きで細径格子部材６８の上方から被せられ、横側太径線材７０は、太径線材配置部９３に配置される。これにより、ファンガード６０の上面には、格子状の通風面部６１が形成される。前後側フレーム部材６６、細径格子部材６８及び側面側フレーム部材６５は、互いの交点の当接部でスポット溶接により接合されている。
【００３０】
詳細には、図３及び図４に示すように、通風面部６１には、複数の横側太径線材７０及び縦側太径線材８０が直交することで、複数の大格子１００が形成され、複数の縦側細径線材９０及び横側細径線材９１が大格子１００間で直交することで、大格子１００よりも開口が小さい小格子１０１が複数形成される。大格子１００には、小格子１０１が縦方向及び横方向の両方向において複数形成されており、大格子１００内には、小格子１０１が、一列ではなく、格子状に複数列で配置されている。なお、図３及び図４では、煩雑化を防ぐため、一つの大格子１００及び一組の小格子１０１のみに符号を付している。
【００３１】
図８は、ファンガード６０のガード性の試験に用いられる試験指Ｔを示す正面図である。
小格子１０１は、略正方形状に構成されており、所定の形状を有する試験指Ｔが小格子１０１を通過できないサイズに設定されている。試験指Ｔは、人の指に見立てて形成された円柱部Ｔ１と、円柱部Ｔ１よりも大径で、円柱部Ｔ１と同軸の円板状に形成されたストッパ部Ｔ２とを備えている。ファンガード６０においては、試験指Ｔをストッパ部Ｔ２がファンガード６０に当接するまで差し込んだ際に、円柱部Ｔ１がプロペラファン２４に接触しないことが求められる。
【００３２】
本実施の形態では、大格子１００内に小格子１０１を格子状に設けたため、小格子１０１の開口の大きさを、ストッパ部Ｔ２が小格子１０１を通過不能なように、ストッパ部Ｔ２の直径よりもわずかに小さい大きさまで拡大できる。これにより、縦側細径線材９０及び横側細径線材９１の本数を少なくでき、通風面部６１の開口の面積を大きくできるため、送風抵抗を低減できる。一方、従来のように、大格子１００内に小格子１０１を格子状に設けずに、複数の細長の開口を一列設ける場合、この開口の幅をストッパ部Ｔ２の直径よりもわずかに小さい大きさまで拡大すると、開口の大きさが大きくなりすぎてしまい、手の平等が開口を通る虞があるため、上記開口をストッパ部Ｔ２の直径よりもわずかに小さい大きさまで拡大することはできず、送風抵抗は大きくなる。しかし、本実施の形態では、大格子１００内に小格子１０１を格子状に設けたため、小格子１０１の開口をストッパ部Ｔ２の直径よりもわずかに小さい大きさまで拡大しつつ、手の平のような薄くて幅が広いものがファンガード６０を通過することを防止できる。
ここで、一例として、小格子１０１の開口は、一辺が４１（ｍｍ）の正方形であり、試験指Ｔのストッパ部Ｔ２の直径は、５０（ｍｍ）である。
【００３３】
図９は、ファンガード６０の角部近傍を示す斜視図である。
図９に示すように、側面通風面部６２では、傾斜側面部６４の補強線材８４の柱部８４Ｂに各側面側細径線材７１の折り曲げ部７１Ａが接合されることで、傾斜側面部６４と垂直側面部６３と垂直側面部６３とが連結されている。このように、複数の折り曲げ部７１Ａによって傾斜側面部６４と垂直側面部６３との間の隙間を塞ぐため、ファンガード６０の四隅の角部を試験指Ｔが通らないようにすることができる。
また、各側面側細径線材７１及び各側面側細径線材８１の間隔は、これらの間隔を試験指Ｔが通過不能な大きさに形成されている。
【００３４】
各垂直側面部６３の下端には、側面側細径線材７１に沿って延びる下部太径線材７９（取り付け部）が設けられている。下部太径線材７９は、室外ユニット１０の天板３０に対するファンガード６０の取り付け部であり、天板３０に当接して取り付けられる。
下部太径線材７９は複数の屈曲部７９Ａを有しており、強度及び剛性が高められている。下部太径線材７９の端部には、Ｕ字状に屈曲されたＵ字状屈曲部７９Ｂが形成されており、下部太径線材７９は、Ｕ字状屈曲部７９Ｂ上に補強ベース部７７Ｃ、ベース部７５及びベース部８４Ｃが接合されるとともに、各支柱部７３の下端に接合されることで、固定されている。また、Ｕ字状屈曲部７９Ｂの内側に形成された孔７９Ｃにはボルト（不図示）が挿通され、ファンガード６０は、四隅の各角部に設けられる孔７９Ｃを介して天板３０にボルト止めされる。
【００３５】
図１０は、室外ユニット１０の搬送時の状態を示す斜視図である。
図１０に示すように、室外ユニット１０が運ばれる際には、室外ユニット１０は、室外ユニット１０の上面に巻き掛けられる一対の固定バンド１１０，１１０によって支持される。固定バンド１１０，１１０は、ファンガード６０の通風面部６１の左右の側縁部に沿って室外ユニット１０の前後に延びるようにして巻き掛けられる。詳細には、固定バンド１１０，１１０は、通風面部６１の前部及び後部にそれぞれ設けられたバンド固定凹部７６Ａ，７６Ｂに通されて凹部に嵌められている。このため、固定バンド１１０，１１０のずれを防止でき、固定バンド１１０，１１０を確実に固定できる。
【００３６】
また、固定バンド１１０，１１０は、バンド固定凹部７６Ａ，７６Ｂ、補強太径線材７７の補強支持部７７Ａ、及び、各横側太径線材７０の上面に巻き掛けられており、これらの太径の線材の下方に位置する縦側細径線材９０及び横側細径線材９１に当接しない。このように、強度及び剛性が高い太径の線材で固定バンド１１０，１１０を受けるため、固定バンド１１０，１１０を強く固定でき、室外ユニット１０を強固に固定できる。また、強い緊縛力が作用する各バンド固定凹部７６Ａ，７６Ｂに隣接して補強支持部７７Ａを設け、補強支持部７７Ａに固定バンド１１０，１１０の緊縛力を分散させるため、固定バンド１１０，１１０を強固に固定できる。
【００３７】
以上説明したように、本発明を適用した実施の形態によれば、ファンガード６０は、複数の横側太径線材７０及び縦側太径線材８０に複数の横側細径線材９１及び縦側細径線材９０を交差させて形成され、横側太径線材７０及び縦側太径線材８０で構成される大格子１００の間に横側細径線材９１及び縦側細径線材９０で構成される小格子１０１が格子状に配置されるため、横側細径線材９１の間隔及び縦側細径線材９０の間隔を小さくしなくとも、小格子１０１によって手等の侵入を防止でき、横側細径線材９１及び縦側細径線材９０の本数を削減できる。このため、ファンガード６０への手等の侵入を防止しつつ、送風抵抗を低減できる。
【００３８】
また、横側細径線材９１及び縦側細径線材９０を組み合わせて格子状の細径格子部材６８を形成し、この細径格子部材６８を、横側太径線材７０及び縦側太径線材８０で構成されたフレーム部６７で支持するため、横側細径線材９１及び縦側細径線材９０で細径格子部材６８を形成しておき、この細径格子部材６８をフレーム部６７で支持することで通風面部６１を形成でき、通風面部６１を簡単に形成できるとともに、通風面部６１の強度及び剛性を向上できる。
【００３９】
また、室外ユニット１０を搬送する際に用いられる固定バンド１１０，１１０が取り付けられるバンド固定凹部７６Ａ，７６Ｂが通風面部６１に設けられ、バンド固定凹部７６Ａ，７６Ｂは、横側太径線材７０に形成されるため、強度及び剛性が高い横側太径線材７０のバンド固定凹部７６Ａ，７６Ｂに固定バンド１１０，１１０を取付けでき、室外ユニット１０を強固に固定できる。また、垂直側面部６３，６３には、固定バンド１１０，１１０を設けることは困難であるが、横側太径線材７０にバンド固定凹部７６Ａ，７６Ｂを設けるため、通風面部６１に固定バンド１１０，１１０を固定できる。このため、ファンガード６０に固定バンド１１０，１１０を固定でき、固定バンド１１０，１１０を設けるための専用の部材を設ける必要がない。
【００４０】
さらに、通風面部６１は、通風面部６１の周縁から送風機２２の吹出口２５Ａの周縁部２５Ｂに向かって延びる側面通風面部６２を介して吹出口２５Ａの天板３０に固定され、側面通風面部６２は、通風面部６１から天板３０に向けて垂直に延びる垂直側面部６３，６３を有し、垂直側面部６３，６３は周縁部２５Ｂの外側に設けられるため、垂直側面部６３，６３が吹出口２５Ａの周縁部２５Ｂから吹き出される風の邪魔にならず、送風抵抗を低減できる。本実施の形態では、垂直側面部６３，６３を左右の化粧パネル２９の延長線上に設けることで、垂直側面部６３，６３を周縁部２５Ｂの外側に設けたため、送風抵抗を低減できるが、室外ユニット１０の上面側に固定バンド１１０，１１０を固定することが難しい。しかし、通風面部６１の横側太径線材７０にバンド固定凹部７６Ａ，７６Ｂを設けたため、送風抵抗を低減しつつ、室外ユニット１０の上面に固定バンド１１０，１１０を固定できる。
【００４１】
また、側面通風面部６２が天板３０に取り付けられる取り付け部である下部太径線材７９では、下部太径線材７９が屈曲されているため、ファンガード６０の強度及び剛性を向上できる。
【００４２】
なお、上記実施の形態は本発明を適用した一態様を示すものであって、本発明は上記実施の形態に限定されるものではない。
上記実施の形態では、大格子１００内に小格子１０１を格子状に設けるものとして説明したが、本発明はこれに限定されるものではない。例えば、縦側太径線材８０の複数の支持部８２を設けずに横側太径線材７０のみを複数設け、複数の横側太径線材７０間に小格子１０１を格子状に形成しても良い。
また、上記実施の形態では、ファンガード６０は、上面吹き出しタイプの室外ユニット１０に設けられるものとして説明したが、これに限らず、本発明はファンを覆うファンガードであれば適用可能であり、例えば、ファンガード６０は、横吹出しタイプの室外ユニットに設けられても良い。
【００４３】
［変形例］
図１１は、実施の形態の変形例におけるファンガード１６０の角部近傍を示す斜視図である。
上記実施の形態では、側面側細径線材７１の複数の折り曲げ部７１Ａによって傾斜側面部６４と垂直側面部６３との間の隙間を塞ぐものとして説明したが、この変形例では、１本の補強線材１２０によって上記隙間を塞いでいる。
なお、この変形例１において、上記実施の形態と同様に構成される部分については、同符号を付して説明を省略する。
【００４４】
図１１に示すように、各支柱部７３の上部には、側面側細径線材７１と平行に延びる１本の補強線材１２０が接合され、補強線材１２０の両端部は、傾斜側面部６４と垂直側面部６３との間の隙間に延出する延出部１２１となっている。延出部１２１は、支柱部７３側から斜め下方に延びて傾斜側面部６４の支柱部８３に当接する第１屈曲部１２１Ａと、第１屈曲部１２１Ａから折り返されて支柱部７３に当接する第２屈曲部１２１Ｂとを有している。第１屈曲部１２１Ａは支柱部８３に接合され、第２屈曲部１２１Ｂは支柱部７３に接合されている。
【００４５】
このように、補強線材１２０の延出部１２１によって、傾斜側面部６４と垂直側面部６３との間の隙間を簡単に塞ぐことができる。延出部１２１が設けられることで、試験指Ｔのストッパ部Ｔ２は、上記隙間に侵入できなくなる。また、第１屈曲部１２１Ａ及び第２屈曲部１２１Ｂが支柱部８３，７３にそれぞれ接合されるため、ファンガード１６０の角部の強度及び剛性を確保できる。このため、バンド固定凹部７６Ａ，７６Ｂに固定バンド１１０を強固に固定できる。
【符号の説明】
【００４６】
１０  室外ユニット
２２  送風機
２４  プロペラファン（ファン）
２５Ａ  吹出口
２５Ｂ  周縁部
３０  天板（固定面）
６０，１６０  ファンガード
６１  通風面部
６２  側面通風面部（側面部）
６３，６３  垂直側面部
６７  フレーム部
６８  細径格子部材
７０  横側太径線材（太径線材）
７６Ａ，７６Ｂ  バンド固定凹部（バンド固定部）
７９  下部大径線材（取り付け部）
８０  縦側太径線材（太径線材）
９０  縦側細径線材（細径線材）
９１  横側細径線材（細径線材）
１１０  固定バンド
【図１】
0005899489.tif 000002
【図２】
0005899489.tif 000003
【図３】
0005899489.tif 000004
【図４】
0005899489.tif 000005
【図５】
0005899489.tif 000006
【図６】
0005899489.tif 000007
【図７】
0005899489.tif 000008
【図８】
0005899489.tif 000009
【図９】
0005899489.tif 000010
【図１０】
0005899489.tif 000011
【図１１】
0005899489.tif 000012